(57)【要約】【課題】不使用状態において安定した状態で備蓄できる帽子用内装具、帽子を提供する。【解決手段】ヘルメット１００の帽子用内装具１Ａは、帽体１１０に配設されると共に帽体１１０が使用者の頭部に被せられた際に頭部の頭頂部に当接するハンモック１と、ハンモック１に接合されて頭部の前頭部から側頭部を経て後頭部に当接するヘッドバンド２とを備え、ヘッドバンド２は、前頭部に当接する前側部材１２と、前側部材１２に接続されて後頭部に当接する後側部材１３とを備え、後側部材１３は、ハンモック１に取り付けられる取付部３０と、取付部３０から延長されて頭部を押さえる第二部材本体部３１とを有し、後側部材１３にヒンジ部２９を設けると共にヒンジ部２９を介して第二部材本体部３１を帽体１１０の内側に折り曲げ可能とする。【選択図】図１
2015132033.tif 000002
【特許請求の範囲】
【請求項１】
帽体に配設されると共に該帽体が使用者の頭部に被せられた際に前記頭部の頭頂部に当接するハンモックと、
該ハンモックに接合されて前記頭部の前頭部から側頭部を経て後頭部に当接するヘッドバンドとを備え、
前記ヘッドバンドは、前記前頭部に当接する前側部材と、該前側部材に接続されて前記後頭部に当接する後側部材とを備え、
前記前側部材、及び／又は、前記後側部材は、前記ハンモックに取り付けられる取付部と、該取付部から延長されて前記頭部を押さえる押さえ部とを有し、
前記ヘッドバンド又は前記ハンモックにヒンジ部を設けると共に該ヒンジ部を介して前記押さえ部を、前記帽体の内側に折り曲げ可能としたことを特徴とする帽子用内装具。
【請求項２】
前記ヒンジ部は、前記取付部の近傍に設けられ、樹脂の一部が薄く形成された薄肉ヒンジから構成されていることを特徴とする請求項１に記載の帽子用内装具。
【請求項３】
前記ヒンジ部は、前記取付部の近傍に設けられ、蝶番ヒンジから構成されていることを特徴とする請求項１に記載の帽子用内装具。
【請求項４】
前記ヒンジ部は、前記取付部の両側部に対して回動軸を介して前記押さえ部の前記取付部側の端部が回動自在に設けられていることを特徴とする請求項１に記載の帽子用内装具。
【請求項５】
前記前側部材と前記後側部材とを連結する連結部材が設けられ、該連結部材はゴムによって形成されたことを特徴とする請求項１乃至４の何れか一つに記載の帽子用内装具。
【請求項６】
請求項１乃至５の何れか一つに記載の帽子用内装具を備えたことを特徴とする帽子。
【発明の詳細な説明】
【技術分野】
【０００１】
この発明は、防災用ヘルメット等の帽子に用いられる帽子用内装具、及び帽子用内装具を備えた防災用ヘルメット等の帽子に関する。
【背景技術】
【０００２】
防災用ヘルメット等の帽子、特に、帽体が硬質の部材で形成されている帽子においては、帽体を使用者の頭部に被せた状態で帽体を頭部に固定させるための帽子用内装具が用いられる。一般に帽子用内装具は、頭部の頭頂部に当接するハンモックと、額の部分即ち前頭部から側頭部を経て後頭部にかけて、頭部の周辺に当接するヘッドバンドを有している（たとえば、特許文献１参照）。
【先行技術文献】
【特許文献】
【０００３】
【特許文献１】特開２００３−６４５２３号公報
【発明の概要】
【発明が解決しようとする課題】
【０００４】
しかしながら、上記特許文献１に記載の発明においては、頭の周囲を取り囲むように、ヘッドバンドが設けられているため、不使用状態において、複数の帽子を重ねて備蓄しておこうとすると、帽子本体の径より、ヘッドバンドの径の方が小さいことから、積み重ねたときには、下側の帽子の頭頂部が、その上側の帽子の径の小さいヘッドバンドの内側に挿入された状態となり、全体としての高さが高くなってしまうと共に、上側の帽子本体と下側の帽子本体とが直接、接触することが少ないため、不安定となってしまうという問題があった。
【０００５】
本発明はこのような課題に鑑みてなされたものであり、本発明は、不使用状態において安定した状態で備蓄できる帽子用内装具、及びこの帽子用内装具を用いた帽子を提供することにある。
【課題を解決するための手段】
【０００６】
かかる課題を解決するために、請求項１に記載の発明は、帽体に配設されると共に該帽体が使用者の頭部に被せられた際に前記頭部の頭頂部に当接するハンモックと、該ハンモックに接合されて前記頭部の前頭部から側頭部を経て後頭部に当接するヘッドバンドとを備え、前記ヘッドバンドは、前記前頭部に当接する前側部材と、該前側部材に接続されて前記後頭部に当接する後側部材とを備え、
前記前側部材、及び／又は、前記後側部材は、前記ハンモックに取り付けられる取付部と、該取付部から延長されて前記頭部を押さえる押さえ部とを有し、前記ヘッドバンド又は前記ハンモックにヒンジ部を設けると共にヒンジ部を介して前記押さえ部を、前記帽体の内側に折り曲げ可能としたことを特徴とする。
【０００７】
請求項２に記載の発明は、請求項１に記載の構成に加え、前記ヒンジ部は、前記取付部の近傍に設けられ、樹脂の一部が薄く形成された薄肉ヒンジから構成されていることを特徴とする。
【０００８】
請求項３に記載の発明は、請求項１に記載の構成に加え、前記ヒンジ部は、前記取付部の近傍に設けられ、蝶番ヒンジから構成されていることを特徴とする。
【０００９】
請求項４に記載の発明は、請求項１に記載の構成に加え、前記ヒンジ部は、前記取付部の両側部に対して回動軸を介して前記押さえ部の前記取付部側の端部が回動自在に設けられていることを特徴とする。
【００１０】
請求項５に記載の発明は、請求項１乃至４の何れか一つに記載の構成に加え、前記前側部材と前記後側部材とを連結する連結部材が設けられ、該連結部材はゴムによって形成されたことを特徴とする。
【００１１】
請求項６に記載の発明は、帽子であって、請求項１乃至５の何れか一つに記載の帽子用内装具を備えたことを特徴とする。
【発明の効果】
【００１２】
請求項１に記載の発明によれば、ヘッドバンドの前側部材、及び／又は、後側部材は、ハンモックに取り付けられる取付部と、取付部から延長されて頭部を押さえる押さえ部とを有し、取付部側に対してヒンジ部を介して押さえ部を、帽子内側に折り曲げ可能とされているため、不使用状態において、押さえ部を、帽子内側に折り曲げ、帽子本体の内面に接近又は当接させるようにすることができる。従って、複数の帽子を積み重ねたときに、ヘッドバンドが邪魔になることなく、全体の高さを低くできると共に、上の帽子本体と下の帽子本体とを接近又は当接させて安定した状態で積み重ねることができる。
【００１３】
請求項２に記載の発明によれば、ヒンジ部は、取付部の近傍に設けられ、樹脂の一部が薄く形成された薄肉ヒンジから構成されているため、樹脂の一体成形により容易に成形できる。
【００１４】
請求項３に記載の発明によれば、ヒンジ部は、取付部の近傍に設けられ、蝶番ヒンジから構成されているため、より折り畳み易くすることができる。
【００１５】
請求項４に記載の発明によれば、ヒンジ部は、取付部の両側部に対して回動軸を介して押さえ部の取付部側の端部が回動自在に設けられているため、より折り畳み易くすることができる。
【００１６】
請求項５に記載の発明によれば、前側部材と後側部材とを連結する連結部材が設けられ、連結部材はゴムによって形成されたため、ゴムの弾力によって前側部材と後側部材とを頭部側に引き寄せて、ヘッドバンドを容易に固定することができる。また、連結部材が前側部材と後側部材とを帽体の中央部に引き寄せることができるので、装着者の頭のサイズの大小にかかわらず、常に安定した状態で帽子を装着できる。
【００１７】
請求項６に記載の発明によれば、不使用状態において、安定した状態で水平面に載置したり複数積み重ねたりすることの可能な帽子を提供できる。
【図面の簡単な説明】
【００１８】
【図１】この実施の形態１のヘルメットの底面方向から見た斜視図である。
【図２】この実施の形態１の帽体、及びこの実施の形態１の帽子用内装具のハンモックの底面方向から見た斜視図である。
【図３】同上帽子用内装具のヘッドバンドを底面方向から見た斜視図である。
【図４】同上帽子用内装具のハンモックの湾曲させる前の状態の正面図である。
【図５】同上帽子用内装具のヘッドバンドの前側部材の湾曲させる前の状態の正面図である。
【図６】同上帽子用内装具のヘッドバンドの後側部材を形成する第一部材の湾曲させる前の状態の正面図である。
【図７】同上帽子用内装具のヘッドバンドの後側部材を形成する第二部材の湾曲させる前の状態の正面図である。
【図８】同上帽子用内装具のヘッドバンドの後側部材を形成する第一部材のヒンジ部の部分拡大図である。
【図９】同上帽子用内装具のヘッドバンドの後側部材とハンモックとの湾曲させる前の状態の正面図である。
【図１０】同上帽子用内装具のヘッドバンドの前側部材と後側部材とが連結部材で連結された状態の部分拡大図である。
【図１１】同上帽子用内装具の耳紐及び顎紐の正面図である。
【図１２】同上帽子用内装具の配設されたヘルメットが頭部に装着された状態を示す図である。
【図１３】同上帽子用内装具のヘッドバンドの後側部材の第二部材が頭部に装着された状態を示す図である。
【図１４】同上帽子用内装具の配設されたヘルメットが他の帽体に積み重ねられた状態を示す図である。
【図１５】この実施の形態２の帽子用内装具の部分拡大図である。
【図１６】同上帽子用内装具の分解した状態の部分拡大図である。
【図１７】同上帽子用内装具の部分拡大図である。
【図１８】同上帽子用内装具のヘッドバンド本体部と取付部とをヒンジ部において折り曲げた状態の部分拡大図である。
【図１９】この実施の形態３の帽子用内装具の部分拡大図である。
【図２０】同上帽子用内装具の分解した状態の部分拡大図である。
【図２１】同上帽子用内装具の部分拡大図である。
【図２２】同上帽子用内装具のヘッドバンド本体部と取付部とをヒンジ部において折り曲げた状態の部分拡大図である。
【図２３】この実施の形態４の帽子用内装具のハンモックとヘッドバンドとを分解した状態を示す図である。
【図２４】同上帽子用内装具のヘッドバンドの後側部材を折り畳む前の状態の斜視図である。
【図２５】同上帽子用内装具のヘッドバンドの後側部材を折り畳んだ状態を示す斜視図である。
【図２６】この実施の形態５の帽子用内装具の、ヘッドバンドの前側部材と後側部材とを折り畳んだ状態を示す斜視図である。
【発明を実施するための形態】
【００１９】
［発明の実施の形態１］
以下、この発明の実施の形態１について説明する。
【００２０】
図１乃至図１４は、この発明の実施の形態１を示す。
【００２１】
まず、構成を簡単に説明すると、図１に示す、この実施の形態１の「帽子」としてのヘルメット１００は、災害時用に用いられる防災用ヘルメットである。なお、この実施の形態１の「帽子」は、防災用ヘルメット以外のどのようなヘルメットであってもよく、また、ヘルメット以外のいかなる帽子であってもよい。
【００２２】
このヘルメット１００の「帽子本体」は、帽体１１０と、帽子用内装具１Ａからなる。
【００２３】
帽体１１０は、ＡＢＳ等、剛性の高い樹脂によって形成され、外部からの飛来物等による衝撃から頭部を保護する機能を奏する。帽体１１０は、複数の多角形の組み合わせによって頭部を覆う形状に形成されている。帽体１１０の前側は、前側に張り出して頭部の額部分を覆う庇部１３１が形成されている。帽体１１０の外側には、図１４に示すように、前側に一対の前側載置用突起部１３２、後側に一対の後側載置用突起部１３３が設けられている。前側載置用突起部１３２、後側載置用突起部１３３には、同一構成のヘルメット１００を積み重ねた際にヘルメット１００の一部が載置され、複数のヘルメット１００を積み重ねることができるように形成されている。
【００２４】
図１に示すように、帽子用内装具１Ａは、ハンモック１、ヘッドバンド２、耳紐３、顎紐４を備えている。帽子用内装具１Ａは、帽体１１０を頭部周辺に装着させると共に、帽体１１０に加わった衝撃を緩和させる機能を奏する。
【００２５】
ハンモック１は、柔軟性と剛性とを有し、繰り返しの使用や長期間の使用によっても伸びや剛性の低下が生じにくい合成樹脂、例えばポリエチレン、もしくはポリプロピレン等からなる。但し同様の性質を有するものであればどのような材質で形成されていてもよい。ハンモック１は、このような材質の部材を平板形状に形成したものから成る。平板形状の部材から形成することで、ハンモック１を低コストで製造できる。
【００２６】
図４に示すように、ハンモック１は、使用者の頭頂部を抑える円環状の頭頂抑え部５と、この頭頂抑え部５から複数延長された計４本の略帯状の延長片部とを有している。この延長片部のうち、一方の一対は前側延長片部６，６を形成し、他方の一対は後側延長片部７，７を形成する。これら前側延長片部６，６の先端部、及び後側延長片部７，７の先端部には、前側延長片部６，６及び後側延長片部７，７の幅方向に張り出した嵌合片部８，８，８，８が設けられている。
【００２７】
ハンモック１は、前側延長片部６，６がヘルメット１００の前側に配設され、後側延長片部７，７がヘルメット１００の後側に配設される。具体的には、図１及び図１４に示すように、前側延長片部６，６の嵌合片部８，８が帽体１１０の内部の前側の被嵌合部１３４，１３４にそれぞれ嵌合され、後側延長片部７，７の後側の嵌合片部８，８が帽体１１０の内部の後側の被嵌合部１３４，１３４にそれぞれ嵌合される。
【００２８】
これにより、図２に示すように、ハンモック１は、帽体１１０の内部に沿って湾曲させた状態で、帽体１１０の内部に配設される。即ち、図１２に示すような、使用者が頭部にヘルメット１００を被って直立した状態である使用状態（以下単に「使用状態」と称する）において、頭頂抑え部５は帽体１１０内部の中央上部に配設され、前側延長片部６，６と後側延長片部７，７は帽体１１０内部の中央部から外方の下方に向けて湾曲しながら垂下した状態で配設される。
【００２９】
図４に示すように、それぞれの前側延長片部６の略中央部には耳紐取付孔部９が開口形成されている。また、それぞれの後側延長片部７の略中央部には、「ハンモック側取付部」としての後側取付孔部１０が開口形成されている。また、それぞれの前側延長片部６の基端部には前側取付孔部１１が開口形成されている。
【００３０】
図１に示すように、ハンモック１には、ヘッドバンド２が取付けられる。ヘッドバンド２は、図３に示す、前側部材１２と、前側部材１２に接続される後側部材１３とを備えている。前側部材１２と後側部材１３とは、ハンモック１と同じ素材を、ハンモック１と同様に平板形状に形成したものから成る。平板形状の部材で形成することにより、前側部材１２と後側部材１３とを低コストで製造できる。
【００３１】
図５に示す通り、前側部材１２は、帯状の前側当接部１４が設けられている。この前側当接部１４は、使用状態において長手方向が略水平方向に沿った状態となり、頭部の額部分に当接する。前側当接部１４の両端部には、連結部材３２が挿通される挿通孔部１５が設けられている。
【００３２】
図１に示すように、前側当接部１４には、幅方向即ち使用状態における上下方向に沿って、複数の溝部１６が設けられている。この溝部１６により、図１に示すように、前側当接部１４を長手方向に沿って容易に湾曲させることができる。
【００３３】
前側部材１２の両端部近傍の一側側から略垂直方向には、一対の前頭部側取付片部１７，１７が突設されている。それぞれの前頭部側取付片部１７の先端部には、前頭部側取付孔部１８が開口形成されている。図１に示すように、前頭部側取付孔部１８は、ハンモック１の前側取付孔部１１に重なった状態で、ビス１９によって取付けられる。なお、前側部材１２の使用状態における下側は、ハンモック１や帽体１１０に取付けられておらず、前後方向（即ち図１２における左右方向）や左右方向に移動可能になっている。
【００３４】
後側部材１３は、図６に示す第一部材２０と、図７に示す第二部材２１とが接続されて形成されている。第一部材２０は、図１２に示すようにヘルメット１００が使用者の頭部４００に被せられた際、頭部４００の側頭部に当接する。第二部材２１は、ヘルメット１００が頭部４００に被せられた際、頭部４００の後頭部に当接する。
【００３５】
図６に示す通り、第一部材２０は略帯状に形成されている。第一部材２０の一端側には連結部材３２が挿通される筒状の挿通孔部２２が配設され、他端側には第二部材２１と接続される接続孔部２３が開口形成されている。図１２に示すように、使用状態において、第一部材２０は長手方向が略水平方向に沿った状態となる。第一部材２０はハンモック１や帽体１１０に取付けられておらず、前後方向（即ち図１２における左右方向）や左右方向に移動可能になっている。
【００３６】
第二部材２１は、頭部の後頭部略全体を覆う形状に形成されている。具体的には、図７に示す通り、第二部材２１は略V字形状に形成されている。第二部材２１の略中央部は、突出部２１ａを形成している。この突出部２１ａは、ハンモック１が帽体１１０の内部に配設されて使用状態となったとき、帽体１１０よりも下方に突出する（図１２参照）。また、図７に示す通り、第二部材２１の両端部には、それぞれ後頭部側取付孔部２４が開口形成されている。
【００３７】
図７に示す通り、第二部材２１の後頭部側取付孔部２４よりも中央部寄りには、それぞれ、第一耳紐挿通孔部２６，第二耳紐挿通孔部２７が近接して開口形成されている。図１に示すように、第一耳紐挿通孔部２６、第二耳紐挿通孔部２７には、何れか一方に耳紐３が挿通される。また、第二部材２１の、第一耳紐挿通孔部２６，第二耳紐挿通孔部２７よりも中央部寄りには、一対の接続孔部２５，２５が開口形成されている。それぞれの接続孔部２５は、第一部材２０との接続孔部２３に重なった状態でビス２８によって接続され、これにより第一部材２０と第二部材２１とは回動自在に接続される。なお、第二部材２１には、接続孔部２５の他に第二の接続孔部（図示せず）等が設けられ、第一部材２０と第二部材２１との取付位置を調節することで、ヘッドバンド２の周囲方向の長さを調節可能に形成してもよい。
【００３８】
図８に示すように、第二部材２１の両端部側には、ハンモック１に取付けられる取付部３０が設けられる。この取付部３０の近傍には、ヒンジ部２９が設けられている。このヒンジ部２９は薄肉ヒンジであって、第二部材２１の他の部分よりも薄肉に形成されている。第二部材２１のヒンジ部２９よりも、使用状態において下方に延長された「押さえ部」としての第二部材本体部３１は、ヒンジ部２９を介して折畳可能に形成されている。これにより、第二部材２１は、取付部３０がハンモック１に取付けられた状態で、第二部材本体部３１がヒンジ部２９を介して移動する（図８の矢印Ｂ参照）。
【００３９】
即ち、第二部材本体部３１は、使用状態における、第二部材本体部３１の長手方向が略垂直下方に延びた状態（及び図８の実線で表示した状態、及び図１２に示す状態）になる。また、使用者がヘルメット１００を装着していない、第二部材本体部３１が帽体１１０の内部に収容された状態である非使用状態（以下単に「非使用状態」と称する。）にもなる。非使用状態においては、第二部材本体部３１の長手方向が略水平方向に延びた状態（図８の点線で表示した状態、及び図１３に示す状態）となり、第二部材２１が帽体１１０よりも内側上方に位置する状態となる。
【００４０】
図１に示すように、第二部材２１とハンモック１とは、後頭部側取付孔部２４と後側取付孔部１０とが重なった状態で、ビス３１ａによって取付けられる。ここで、図９に示すように、第二部材２１が平板状態のときの後頭部側取付孔部２４，２４同士の間隔Ａ１は、ハンモック１が平板状態のときの後側取付孔部１０，１０同士の間隔Ａ２よりも広い。
【００４１】
そして、後頭部側取付孔部２４，２４をそれぞれ後側取付孔部１０，１０の位置に合わせてビス３１ａ，３１ａで取付けたとき、図１に示すように、第二部材２１は撓んだ湾曲形状となる。即ち、平板形状の部材で形成した第二部材２１を確実に湾曲形状に形成できる。
【００４２】
図１２に示すように、使用状態において、第二部材２１は前側部材１２よりも下方に張り出して、使用者の後頭部略全体を覆う形状となっている。そして、図１３に示すように、使用状態において、第二部材２１は使用者の後頭部に沿って湾曲した形状となっている。
【００４３】
なお、第二部材２１の使用状態における下側は、ハンモック１や帽体１１０に取付けられておらず、前後方向（即ち図１２における左右方向）や左右方向に移動可能になっている。
【００４４】
また、図１４に示すように、非使用状態においては、第二部材２１がヒンジ部２９で折り畳まれた結果、ヘッドバンド２の全体が帽体１１０よりも、使用状態における内部上方に位置することになる。
【００４５】
図５に示す前側部材１２の挿通孔部１５と、図６に示す第一部材２０の挿通孔部２２とには、連結部材３２が挿通される。図１０に示すように、連結部材３２は、前側部材１２と後側部材１３とを連結可能な弾性体、たとえばゴムひも等によって形成されている。連結部材３２の両端はストラップピン３３に挿通されており、連結部材３２の長さはストラップピン３３の取付位置によって調節可能に形成されている。
【００４６】
連結部材３２は、張力によって、ヘッドバンド２の前側部材１２と後側部材１３とを引っ張る。前側部材１２と後側部材１３とは、連結部材３２の張力が働いたとき、それぞれヘッドバンド２の縮径する方向に引っ張られることになる。
【００４７】
図４に示すハンモック１のそれぞれの耳紐取付孔部９，９と、図７に示す第二部材２１のそれぞれの第一耳紐挿通孔部２６又は第二耳紐挿通孔部２７とには、一対の耳紐３のそれぞれが取付けられる。
【００４８】
図１１に示すように、耳紐３の耳紐本体部３４は、ポリプロピレン等の合成繊維によって形成されている。耳紐本体部３４の一端側には二つの取付孔部（図示せず）が開口形成されている。耳紐本体部３４の一端側は、それぞれの取付孔部（図示せず）に一の取付ビス３５が挿通されて接合された状態で環状に形成されている。
【００４９】
耳紐本体部３４の他端側には、ポリプロピレン等の樹脂によって形成されたビスホルダー３６が配設されている。ビスホルダー３６には、ハンモック１の耳紐取付孔部９と共に接合されるビス挿通孔３７が開口形成されている。
【００５０】
一対の耳紐３，３は、顎紐４によって連結されている。図１１に示す、顎紐４の第一顎紐本体部３８、第二顎紐本体部３９、第三顎紐本体部４０は、それぞれ耳紐本体部３４と同じ材質で形成されている。第一顎紐本体部３８の一端部と第三顎紐本体部の一端部とは、それぞれ環状に形成されて端部がビス４１，４２によって固着されて、耳紐３，３の一方と他方とに連結されている。第一顎紐本体部３８の他端部と第二顎紐本体部３９の一端部とは、第二顎紐本体部３９の長さを調節するベルトアジャスタ４３によって連結され、第二顎紐本体部３９の他端部と第三顎紐本体部４０の他端部とは、係脱可能なバックル４４の雄体と雌体とにそれぞれ接続されている。
【００５１】
次に、この実施の形態１の作用について説明する。
【００５２】
まず、不使用状態のヘルメット１００を使用する使用者は、帽体１１０の内側を下方に向けた使用状態とし、帽体１１０の内部に収容されたヘッドバンド２の第二部材２１を下方に引き下ろす。これにより、第二部材２１の突出部２１ａは帽体１１０よりも下方に突出する。そして、図１２に示すように、使用者は帽体１１０の庇部１３１を前にして頭部４００にヘルメット１００を被る。ヘッドバンド２の前側部材１２と後側部材１３とは、使用状態における下側がハンモック１や帽体１１０に固定されておらず移動可能であるため、連結部材３２の張力に抗して拡径された状態で、頭部４００に装着される。この状態で、ハンモック１の頭頂抑え部５は使用者の頭頂部に当接する。また、ヘッドバンド２の前側部材１２の前側当接部１４や前頭部側取付片部１７は使用者の前頭部に、後側部材１３の第一部材２０は使用者の側頭部に、第二部材２１は使用者の後頭部にそれぞれ当接する。
【００５３】
そして、頭頂部がハンモック１の頭頂抑え部５に当接した状態で、使用者は両方の耳紐３がそれぞれ形成する略三角形の空間（図１２参照）の中に耳を挿通させ、顎紐４を顎の下方に垂らした状態とする。この状態で、使用者が顎紐４のバックル４４を顎下で係合させ、ベルトアジャスタ４３で第二顎紐本体部３９の長さを調節すると、ヘルメット１００が頭部４００に固定された状態となる。
【００５４】
この状態において、図１３に示すように、第二部材２１の突出部２１ａは、前側部材１２よりも使用状態における下方に突出して、使用者の後頭部略全体を覆う。そのため、使用者が頭部４００に帽体１１０を被った際にヘッドバンド２が後頭部側の広い面積に当接して固定され、帽体のぐらつきを抑止できる。
【００５５】
後側部材１３の後頭部側取付孔部２４，２４は、後側取付孔部１０，１０よりも外側に位置している（図９参照）。そのため、第二部材２１をハンモック１に取付ける際、後頭部側取付孔部２４，２４をそれぞれ後側取付孔部１０，１０の位置に合わせてビス３１ａ，３１ａで取付けたとき、図１に示すように、第二部材２１は撓んだ湾曲形状となる。そのため、図１３に示すように、第二部材２１は、使用状態においても、使用者の後頭部に沿って外側に湾曲した形状となる。これにより、帽子用内装具１Ａのヘッドバンド２を頭部４００に装着させた際、後頭部側にフィットした状態で装着され、帽体１１０のぐらつきをより確実に抑止できる。
【００５６】
そして、前述したように、ヘッドバンド２の前側部材１２と後側部材１３とは使用状態における下側が移動可能であり、連結部材３２の張力が働くため、使用者がヘルメット１００を被った状態で、ヘッドバンド２の前側部材１２は図３に示す矢印Ｃ方向、後側部材１３には図３に示す矢印Ｄ方向に引っ張られる。この引っ張りによって、使用者の頭部４００は帽体１１０の略中央部で固定される。即ち、図１２に示す、帽体１１０の後側と頭部４００の後側との間に形成された隙間Ｓ３と、帽体１１０の前側と頭部４００の前側との間に形成された隙間Ｓ４とはほぼ等しい大きさとなる。
【００５７】
これにより、頭の小さい使用者が大きな帽体１１０を被った場合でも、帽体１１０の中央部に頭部４００が固定されて、装着時に常に安定した状態で帽体１１０を頭部に装着することができる。
【００５８】
次に、使用後のヘルメット１００を収容する場合、使用者は、図１３に示す、第二部材２１をヒンジ部２９で折り曲げて、第二部材２１の使用状態における下側を折り畳む。すると、図１４に示すように、第二部材２１の、突出部２１ａを含む第二部材本体部３１が折り曲げられて帽体１１０よりも使用状態における内部上方に収容され、帽子用内装具１Ａはコンパクトな形状になる。また、前述の通り、平板状態における後側部材１３の一対の後頭部側取付孔部２４，２４の間隔Ａ１は、平板状態における後側延長片部７，７の一対の後側取付孔部１０，１０の間隔Ａ２よりも広く（図９参照）、後頭部側取付孔部２４，２４をそれぞれ後側取付孔部１０，１０の位置に合わせてビス３１ａ，３１ａで取付けることで、第二部材２１は撓んだ湾曲形状となっている（図１参照）。そのため、この第二部材２１を内側に折り畳んだとき、第二部材２１は外側に撓んだ湾曲形状から、帽体１１０の内側の形状に沿って、内側に向けて撓んだ湾曲形状で形状を安定させることができる。
【００５９】
この状態において、図１４に示すように、第二部材２１の突出部２１ａは帽体１１０の内部に収容され、帽体１１０から下方に突出しなくなる。上述した通り、突出部２１ａが突出したままヘルメット１００を地面や床面に載置すると、突出部２１ａが地面や床面に当接して載置時のぐらつきが起きやすくなる。しかしこの実施の形態１のヘルメット１００は、第二部材本体部３１を折り曲げて帽体１１０の内部に収容することで、突出部２１aが地面や床面に当接せず、ぐらつきのない安定した状態で地面や床面に載置させることができる。そして、第二部材２１は、帽体１１０の内側の形状に沿って、内側に向けて撓んだ湾曲形状で形状が維持されるので、不使用状態のヘルメット１００を地面や床面に載置するに際し、突出部２１ａが地面や床面に当接せず、地面や床面への載置に支障を来たすことのない状態を維持させることができる。
【００６０】
次に、この状態で、床面等に載置した一のヘルメット１００の帽体１１０の上に、他のヘルメット１００を載置させる。その結果、一のヘルメット１００（下側のヘルメット１００）の前側載置用突起部１３２、後側載置用突起部１３３の上には、他のヘルメット１００（上側のヘルメット１００）の帽体１１０の内部の一部がそれぞれ載置される。即ち、一のヘルメット１００の帽体１１０上に、他のヘルメット１００が使用状態と同様の状態で載置される。このときも、図１４に示すように、第二部材２１の突出部２１ａは帽体１１０の内部に収容され、帽体１１０から下方に突出していないので、同一形状のヘルメット１００を積み重ねて保管し収容する際に、下方に突出した突出部２１ａが積み重ねに支障を来すことを防止できる。そして、積み重ねたヘルメット１００の上に、更に別の同一形状のヘルメット１００を積み重ねることをくり返すことで、同一形状のヘルメット１００を狭小なスペースに安定した状態で多数積み重ねて収容、保管することができる。
【００６１】
以上、この実施の形態１においては、ヘルメット１００に配設されたとき、使用状態において使用者に良好なフィット感を与えると共に、不使用状態において安定した状態で備蓄できる帽子用内装具１Ａや、かかる帽子用内装具１Ａによる効果を奏するヘルメット１００を提供できる。
【００６２】
この実施の形態１においては、複数のヘルメット１００を積み重ねたときに、ヘッドバンド２を構成する後側部材１３が、帽体１１０の開口部の近傍で積み重ねる他のヘルメット１００の帽体１１０に当接するような事態は防止される。そのため、ヘッドバンド２が積み重ねの邪魔になることなく、積み重ねた複数のヘルメット１００の全体の高さを低くできると共に、上のヘルメット１００と下のヘルメット１００とを接近又は当接させて安定した状態で積み重ねることができる。
【００６３】
［発明の実施の形態２］
図１５乃至図１８に、この発明の実施の形態２を示す。
【００６４】
この実施の形態２においては、ヘルメット１００（図１５乃至図１８に図示せず）の帽子用内装具１Ａ（図１５乃至図１８に図示せず）を構成するヘッドバンド２は、後側部材１３が「押さえ部」としてのヘッドバンド本体部１０１と、ハンモック１（図１５乃至図１８に図示せず）に取付けられる取付部１０２とから成り、ヘッドバンド本体部１０１と取付部１０２との連結部分（即ち、ヘッドバンド本体部１０１の先端部と取付部１０２の基端部との連結部分）にヒンジ部２９が設けられる点が実施の形態１と相違する。
【００６５】
図１５乃至図１８には図示しないが、ヘッドバンド本体部１０１の基端側は、実施の形態１の第二部材本体部３１の基端側（図７における下方側）と同様の構成を備えている。
【００６６】
この実施の形態２のヒンジ部２９は、取付部１０２の近傍に設けられた蝶番ヒンジとして構成されている。具体的には、ヘッドバンド本体部１０１の先端部に設けられた第一ブッシュ１０３と、取付部１０２の基端部に設けられた第二ブッシュ１０４と、第一ブッシュ１０３及び第二ブッシュ１０４にそれぞれ挿通されるピン１０５とから成る。それ以外の構成は実施の形態１と同じである。
【００６７】
この実施の形態２においては、ヘッドバンド２の後側部材１３の下側を折り畳むとき、ヒンジ部２９がピン１０５を中心に回動することでヘッドバンド本体部１０１と取付部１０２とが回動し、ヘッドバンド２を容易に帽体１１０（図１５乃至図１８に図示せず）の内部上方に収容できる。そして、ヘッドバンド２のヒンジ部２９を第一ブッシュ１０３と第二ブッシュ１０４とピン１０５とによって構成したことにより、ヒンジ部２９の回動動作の繰り返しに対する耐久性の高いヒンジ部２９を構成できる。そのため、耐久性の高いヘルメット１００を提供することができる。
【００６８】
［発明の実施の形態３］
図１９乃至図２２に、この発明の実施の形態３を示す。
【００６９】
この実施の形態３においては、ヘルメット１００（図１９乃至図２２に図示せず）の帽子用内装具１Ａ（図１９乃至図２２に図示せず）を構成するヘッドバンド２は、後側部材１３がヘッドバンド本体部１１１と、ハンモック１（図１９乃至図２２に図示せず）に取り付けられる取付部１１２とから成り、ヘッドバンド本体部１１１と取付部１１２との連結部分にヒンジ部２９が設けられる点が実施の形態１と相違する。
【００７０】
この実施の形態３のヒンジ部２９は、ヘッドバンド本体部１１１の先端部に章正面視略Ｕ字状の分岐部１１３と、分岐部１１３の両端にそれぞれ設けられた「端部」としてのブッシュ１１４と、正面視略円形の取付部１０２の両側部にそれぞれ突設された「回動軸」としてのピン１１５とから成る。分岐部１１３の内側の円弧形状は、取付部１１２の外周部分の一部の円弧形状に略沿った形状となっている。そして、ヒンジ部２９は、取付部１０２の両側部に対してピン１１５を介して、分岐部１１３の端部が回動自在に設けられている。それ以外の構成は実施の形態１と同じである。
【００７１】
この実施の形態３においては、ヘッドバンド２の後側部材１３の下側を折り畳むとき、ヒンジ部２９がピン１１５を中心に回動することでヘッドバンド本体部１１１と取付部１１２とが回動し、ヘッドバンド２を容易に帽体１１０（図１９乃至図２２に図示せず）の内部上方に収容できる。そして、ヘッドバンド２のヒンジ部２９をブッシュ１１４とピン１１５とによって構成したことにより、ヒンジ部２９の回動動作の繰り返しに対する耐久性の高いヒンジ部２９を構成できる。さらに、取付部１１２の一部にピン１１５が突設され、このピン１１５を中心にヒンジ部２９が回動するように構成されているので、ヘッドバンド２の後側部材１３コンパクトに折り畳むことができる。そのため、複数のヘルメット１００を積み重ねたときの高さ方向の嵩張りを抑止できる。これにより、耐久性が高く、狭小な領域に多数積み重ねられるヘルメット１００を提供することができる。
【００７２】
［発明の実施の形態４］
図２３乃至図２５に、この発明の実施の形態４を示す。
【００７３】
この実施の形態４のヘルメット１００（図２３乃至２５に図示せず）を構成する帽子用内装具１Ａにおいては、ハンモック１の前側延長片部６，６の基端部寄りに前側連結片部１２１，１２１が、後側延長片部７，７の基端部よりに後側連結片部１２２，１２２が、それぞれ設けられている点が、実施の形態１乃至３と大きく相違する。
【００７４】
図２３に示すとおり、この実施の形態４においては、ヘッドバンド２の後側部材１３の先端部側において、ハンモック１の後側連結片部１２２に当接する部分は取付部１２３を形成し、後側部材１３の取付部１２３よりも基端部側（図２３における下側）は押さえ部１２４を形成する。
【００７５】
この実施の形態４において、それぞれの後側連結片部１２２には、ヘッドバンド２を帽体１１０の内部上方に収容するためのヒンジ部２９が設けられている。このヒンジ部２９は薄肉ヒンジとして構成されている。一方、ヘッドバンド２には、実施の形態１乃至３に示すような、ヘッドバンド２を帽体１１０の内部上方に収容するためのヒンジ部２９は設けられていない。
【００７６】
この実施の形態４において、それぞれの前側連結片部１２１の略中央部には前側取付孔部１１が貫通形成されている。また、それぞれの後側連結片部１２２の略中央部には後側取付孔部１０が貫通形成されている。前側取付孔部１１とヘッドバンド２の前側部材１２の前頭部側取付孔部１８とには、それらの取付孔部１１，１８が重なった状態でビス１９が挿通され、これにより、ハンモック１の前側連結片部１２１とヘッドバンド２の前頭部側取付片部１７とは回動自在に取付けられる。また、後側取付孔部１０と後頭部側取付孔部２４とには、それらの取付孔部１０，２４が重なった状態でビス３１ａが挿通される。これにより、ハンモック１の後側連結片部１２２とヘッドバンド２の後側部材１３とは回動自在に取付けられる。
【００７７】
この実施の形態４において、ヘッドバンド２は、前側部材１２と後側部材１３とに分かれている点は実施の形態１と同様である。しかし、後側部材１３は、実施の形態１のように第一部材２０と第二部材２１と（図６，図７参照）には分かれておらず、一体に形成されている。また、この実施の形態４においては、実施の形態１においては筒状に形成されていた挿通孔部２２は後側部材１３の一部に開口形成されている。そして、それ以外の構成は、実施の形態１乃至３と同様である。
【００７８】
この実施の形態４においては、図２５に示すように、ヘッドバンド２の後側部材１３の下側を折り畳むとき、ハンモック１の後側連結片部１２２に設けられたヒンジ部２９が回動しながら内側方向に捻れることで、ヘッドバンド２の後側部材１３を、外側に撓んだ湾曲形状から、帽体１１０の内側の形状に沿って、内側に向けて撓んだ湾曲形状に変化させ、これによって、後側部材１３を容易に帽体１１０（図２３乃至図２５に図示せず）の内部上方に収容できる。ヘッドバンド２を帽体１１０の内部上方に収容する際に回動させるヒンジ部２９が、ヘッドバンド２側でなく、ハンモック１の後側連結片部１２２に設けられていることにより、ヘッドバンド２の全体を肉厚の板材で形成することができ、これにより、ヘッドバンド２の全体を剛性の高いものとして形成し、耐久性の高い帽子用内装具１Ａやヘルメット１００を提供することができる。
【００７９】
なお、この実施の形態４においては、上述の構成に加え、ヘッドバンド２の後側部材１３の一部にヒンジ部（図示せず）を設け、後側部材１３を帽体１１０の内部上方に収容したときに、このヒンジ部（図示せず）よりも下側（後側部材１３の、図２４において下側に位置する側）を下方に折り曲げる構成とすることもできる。このような構成とすることで、後側部材１３を帽体１１０の内部上方に収容したときに、挿通孔部１５と挿通孔部２２との距離を近づけ、連結部材３２の緊張を緩めた状態で収容、保管することができる。
【００８０】
［発明の実施の形態５］
図２６に、この発明の実施の形態５を示す。
【００８１】
この実施の形態５のヘルメット１００（図２６に図示せず）を構成する帽子用内装具１Ａにおいては、実施の形態４と同様のハンモック１とヘッドバンド２とを組み合わせた構成を有するが、ヘッドバンド２の後側連結片部１２２だけでなく、前側連結片部１２１にも実施の形態４と同様のヒンジ部２９が設けられている点が、実施の形態４と相違する。
【００８２】
図２６に示すとおり、この実施の形態５においては、ヘッドバンド２の前側部材１２の先端部側において、ハンモック１の前側連結片部１２１に当接する部分も後側連結片部１２２と同様の取付部１２３を形成し、前側部材１２の取り付け部よりも基端部側も後側連結片部１２２と同様の押さえ部１２４を形成する。
【００８３】
この実施の形態５においては、ヘッドバンド２の後側部材１３に加え、前側部材１２も容易に帽体１１０（図２６に図示せず）の内部上方に収容することができる。これにより、複数のヘルメット１００を積み重ねたときに、ヘッドバンド２を構成する前側部材１２や後側部材１３が、帽体１１０の開口部の近傍で積み重ねる他のヘルメット１００の帽体１１０に当接するような事態は防止される。そのため、ヘッドバンド２が積み重ねの邪魔になることなく、積み重ねた複数のヘルメット１００の全体の高さを低くできると共に、上のヘルメット１００と下のヘルメット１００とを接近又は当接させて安定した状態で積み重ねることができる。
【００８４】
上記実施の形態１乃至３においては、ヘッドバンド２にヒンジ部２９を設けて折り畳む際、ヘッドバンド２の後側部材１３のみにヒンジ部２９を設けてヘッドバンド２の後側部材１３のみを帽体１１０の内部上方に収容する構成としたが、これに替えて、ヘッドバンド２の前側部材１２にヒンジ部２９を設けて、ヘッドバンド２の前側部材１２が帽体１１０の内部上方に収容される構成であってもよい。また、ヘッドバンド２の前側部材１２にも後側部材１３にもそれぞれヒンジ部２９が設けられ、ヘッドバンド２の前側部材１２も後側部材１３も帽体１１０の内部上方に収容される構成であってもよい。
【００８５】
上記各実施の形態においては、ヘッドバンド２が前側部材１２と後側部材１３とに分かれている構成としたが、これに替えて、ヘッドバンド２が右側部材と左側部材とに別れ、そのうちの少なくとも何れか一方の部材（又は、少なくとも何れか一方の部材を連結する、ハンモック１の連結片部）にヒンジ部２９が設けられ、このヒンジ部２９が回動することでヘッドバンド２の右側部材と左側部材とのうち少なくとも何れか一方が帽体１１０の内部上方に収容される構成であってもよい。
【００８６】
上記各実施の形態においては、実施の形態１，４，５のヒンジ部２９は薄肉ヒンジにて構成したが、これに替えて、実施の形態２のヒンジ部２９と同様の蝶番ヒンジや、実施の形態３のヒンジ部２９と同様の取付部１１２の両側に設けたピン１１５，１１５と分岐部１１３の端部のブッシュ１１４，１１４とによって構成することもできる。
【００８７】
上記各実施の形態においては、ハンモック１やヘッドバンド２を平板形状に形成したものによって構成したが、これに替えて、形状や厚さが平板形状以外の板材や部材によってハンモック１やヘッドバンド２を構成したり、射出成型等による成型品としてハンモック１やヘッドバンド２を構成したりすることもできる。
【００８８】
上記各実施の形態は本発明の例示であり、本発明が上記各実施の形態のみに限定されることを意味するものではないことは、いうまでもない。
【符号の説明】
【００８９】
１Ａ・・・帽子用内装具
１・・・ハンモック
２・・・ヘッドバンド
１２，５１，６１・・・前側部材
１３，５２，６２・・・後側部材
２９・・・ヒンジ部
３０，１２３・・・取付部
３１・・・第二部材本体部（押さえ部）
３２・・・連結部材
１００・・・ヘルメット（折畳み式帽子）
１１０・・・帽体
１１４・・・ブッシュ（端部）
１１５・・・ピン（回動軸）
１２４・・・押さえ部
４００・・・頭部
【図１】
2015132033.tif 000003
【図２】
2015132033.tif 000004
【図３】
2015132033.tif 000005
【図４】
2015132033.tif 000006
【図５】
2015132033.tif 000007
【図６】
2015132033.tif 000008
【図７】
2015132033.tif 000009
【図８】
2015132033.tif 000010
【図９】
2015132033.tif 000011
【図１０】
2015132033.tif 000012
【図１１】
2015132033.tif 000013
【図１２】
2015132033.tif 000014
【図１３】
2015132033.tif 000015
【図１４】
2015132033.tif 000016
【図１５】
2015132033.tif 000017
【図１６】
2015132033.tif 000018
【図１７】
2015132033.tif 000019
【図１８】
2015132033.tif 000020
【図１９】
2015132033.tif 000021
【図２０】
2015132033.tif 000022
【図２１】
2015132033.tif 000023
【図２２】
2015132033.tif 000024
【図２３】
2015132033.tif 000025
【図２４】
2015132033.tif 000026
【図２５】
2015132033.tif 000027
【図２６】
2015132033.tif 000028